(57)【特許請求の範囲】
【請求項１】
レンズを保持するレンズ保持部と、
前記レンズの光軸と平行な方向に延伸した案内軸と、
前記案内軸が摺動可能に挿入され、前記レンズ保持部に固定される、含油軸受けと、
前記含油軸受けより接着剤への接着性が高く、前記含油軸受けが内周面側に配置される筒部を有する中間部材と、
前記レンズ保持部と前記中間部材との間に、前記レンズ保持部に対する前記含油軸受けの位置または傾きの少なくとも一方を調整可能な間隙を有し、前記間隙に注入され、前記中間部材と前記レンズ保持部とを接着する前記接着剤により形成される接着部と
を備えるレンズ鏡筒。
【請求項２】
前記案内軸と前記含油軸受けは金属製であり、
前記レンズ保持部の少なくとも前記含油軸受けを固定する部分は樹脂製である
請求項１に記載のレンズ鏡筒。
【請求項３】
前記含油軸受けは前記筒部に圧入されており、
前記筒部は、前記含油軸受け表面の少なくとも一部領域に接触されて、前記筒部の外周側に前記含油軸受けから潤滑油が滲出することを阻止する金属部を含む請求項１または２に記載のレンズ鏡筒。
【請求項４】
前記レンズ保持部は、前記光軸と略平行な方向に延在して、前記含油軸受けの少なくとも一部が内側に配置される受け部を有する請求項１から３のいずれか一項に記載のレンズ鏡筒。
【請求項５】
前記含油軸受けは、前記光軸と略直交する方向において、前記受け部に対する位置を調整可能である請求項４に記載のレンズ鏡筒。
【請求項６】
前記含油軸受けは、前記光軸と略平行な方向において、前記受け部に対する傾きを調整可能である請求項４に記載のレンズ鏡筒。
【請求項７】
前記含油軸受けは、前記光軸と略直交する方向において前記受け部に対する位置を調整可能であり、且つ、前記光軸と略平行な方向において前記受け部に対する傾きを調整可能である請求項４に記載のレンズ鏡筒。
【請求項８】
前記レンズ保持部は、前記光軸と略平行な方向に沿って貫通するように形成された受け部を有し、
前記受け部の一端の内周面には、前記中間部材の一端の外周面が対向し、
前記受け部の他端の内周面には、前記接着部が対向する請求項１から７のいずれか一項に記載のレンズ鏡筒。
【請求項９】
前記レンズ保持部は、前記光軸と略平行な方向に沿って貫通するように形成された受け部と、前記受け部から前記レンズ保持部の径方向外側に貫通するように形成された注入穴とを有する請求項１から８のいずれか一項に記載のレンズ鏡筒。
【請求項１０】
請求項１から請求項９までのいずれか一項に記載のレンズ鏡筒と、
前記レンズ鏡筒の光学系を通じて入射した像光を撮像する撮像部と
を備える撮像装置。
【発明の詳細な説明】
【技術分野】
【０００１】
本発明は、レンズ鏡筒および撮像装置に関する。
【背景技術】
【０００２】
レンズ鏡筒のレンズを、案内軸により摺動可能に支持する構造がある（特許文献１参照）。
［特許文献１］  特開２００４−０７７７０５号公報
【発明の概要】
【発明が解決しようとする課題】
【０００３】
案内軸を用いた構造において、案内軸に対する摺動抵抗を低減することと、案内されるレンズの傾きに関する位置決め精度を向上することとを両立させることは難しかった。
【課題を解決するための手段】
【０００４】
本発明の第一態様として、レンズを保持するレンズ保持部と、レンズの光軸と平行な方向に延伸した案内軸と、案内軸が摺動可能に挿入され、レンズ保持部に固定される、含油軸受けとを備えるレンズ鏡筒が提供される。
【０００５】
本発明の第二態様として、上記レンズ鏡筒と、レンズ鏡筒の光学系を通じて入射した像光を撮像する撮像部とを備える撮像装置が提供される。
【０００６】
上記発明の概要は、本発明の必要な特徴の全てを列挙したものではない。これらの特徴群のサブコンビネーションもまた発明となり得る。
【図面の簡単な説明】
【０００７】
【図１】一眼レフカメラ１００の模式的断面図である。
【図２】レンズユニット２００の模式的断面図である。
【図３】レンズ保持枠２３２の部分拡大図である。
【図４】レンズユニット２０１の製造過程を示す部分拡大断面図である。
【図５】レンズユニット２０１の部分拡大断面図である。
【図６】レンズユニット２０２の製造過程を示す部分拡大断面図である。
【図７】レンズユニット２０２の部分拡大断面図である。
【図８】レンズユニット２０３の製造過程を示す部分拡大断面図である。
【図９】レンズユニット２０３の部分拡大断面図である。
【図１０】レンズユニット２０４の製造過程を示す部分拡大断面図である。
【図１１】レンズユニット２０４の部分拡大断面図である。
【発明を実施するための形態】
【０００８】
以下、発明の実施の形態を通じて本発明を説明する。下記の実施形態は特許請求の範囲にかかる発明を限定するものではない。下記の実施形態の中で説明されている特徴の組み合わせの全てが発明の解決手段に必須であるとは限らない。
【０００９】
図１は、レンズユニット２００の模式的断面図である。一眼レフカメラ１００は、レンズユニット２００およびカメラボディ３００を備える。
【００１０】
なお、説明を簡潔にする目的で、以降の説明においては、カメラボディ３００に装着したレンズユニット２００における物体側を「前」または「先」と記載する。また、レンズユニット２００に対して物体から遠い側を「後」または「背面」と記載する。
【００１１】
レンズユニット２００は、固定筒２１０、第一レンズ群２２０、第二レンズ群２３０、レンズ側制御部２５０および案内軸２７２、２７４を有する。固定筒２１０の前面にはフィルタ枠２１２が、固定筒２１０の後端にはレンズ側マウント部２６０がそれぞれ配される。
【００１２】
フィルタ枠２１２には、フィルタ、フード、コンバージョンレンズ等のレンズアクセサリが装着される。レンズ側マウント部２６０は、カメラボディ３００に設けられたボディ側マウント部３６０と嵌合して、レンズユニット２００をカメラボディ３００の前面に固定する。
【００１３】
レンズ側マウント部２６０およびボディ側マウント部３６０の結合は、予め定められた操作に従って解除できる。これにより、カメラボディ３００には、同じ規格のレンズ側マウント部２６０を有する他のレンズユニット２００を装着できる。
【００１４】
レンズユニット２００において、第一レンズ群２２０は、固定筒２１０前面の略中央に固定される。第二レンズ群２３０は、第一レンズ群２２０と共通の光軸Ｘ上に、光軸Ｘ方向に移動可能に配される。これにより、第一レンズ群２２０および第二レンズ群２３０は光学系を形成する。
【００１５】
ここで、第二レンズ群２３０は、レンズ保持枠２３２により保持される。レンズ保持枠２３２は、図中でレンズ保持枠２３２の上端に形成された嵌合部２３４において図中上側の案内軸２７２に嵌合する。よって、嵌合部２３４は、案内軸２７２に沿って摺動する。
【００１６】
また、レンズ保持枠２３２は、図中でレンズ保持枠２３２の下端に形成された係合部２３６において、図中下側の案内軸２７４に係合する。これにより、レンズ保持枠２３２が、上側の案内軸２７２の回りを回転することが規制される。
【００１７】
一対の案内軸２７２、２７４は、第一レンズ群２２０および第二レンズ群２３０の光軸Ｘと平行に配される。よって、案内軸２７２、２７４により案内されるレンズ保持枠２３２および第二レンズ群２３０も、案内軸２７２、２７４に案内されて、光軸Ｘと平行に移動する。これにより、レンズユニット２００の光学系の焦点位置が変化する。
【００１８】
なお、レンズ保持枠２３２は、第二レンズ群２３０と共に絞りユニット２４０も保持して、第二レンズ群２３０と共に移動させる。これにより、絞りユニット２４０は、第二レンズ群２３０に対して一定の位置を維持し続ける。
【００１９】
また、レンズユニット２００は、固定筒２１０の後面付近に、レンズ側制御部２５０を収容する。レンズ側制御部２５０は、レンズユニット２００の動作を制御すると共に、カメラボディ３００のボディ側制御部との通信も担う。これにより、レンズユニット２００は、カメラボディ３００と協働して動作する。
【００２０】
カメラボディ３００は、ボディ側マウント部３６０の後方に配されたミラーユニット３７０を備える。ミラーユニット３７０の下方には合焦光学系３８０が配される。ミラーユニット３７０の上方にはフォーカシングスクリーン３５２が配される。
【００２１】
フォーカシングスクリーン３５２の更に上方にはペンタプリズム３５４が配され、ペンタプリズム３５４の後方にはファインダ光学系３５６が配される。ファインダ光学系３５６の後端は、ファインダ３５０としてカメラボディ３００の背面に露出する。
【００２２】
ミラーユニット３７０の後方には、シャッタユニット３１０、ローパスフィルタ３３２、撮像素子３３０、基板３２０および表示部３４０が順次配される。表示部３４０は、カメラボディ３００の背面に配され、例えば液晶表示板等により形成される。基板３２０には、ボディ側制御部３２２および画像処理部３２４等が実装される。
【００２３】
ミラーユニット３７０は、メインミラー３７１およびサブミラー３７４を含む。メインミラー３７１は、メインミラー回動軸３７３により軸支されたメインミラー保持枠３７２に支持される。
【００２４】
サブミラー３７４は、サブミラー回動軸３７６により軸支されたサブミラー保持枠３７５に支持される。サブミラー保持枠３７５は、メインミラー保持枠３７２に対して回動する。よって、メインミラー保持枠３７２が回動した場合、サブミラー保持枠３７５もメインミラー保持枠３７２と共に変位する。
【００２５】
メインミラー保持枠３７２の前端が降下した場合、メインミラー３７１は、レンズユニット２００から入射した入射光束上に斜めに位置する。メインミラー保持枠３７２が上昇した場合、メインミラー３７１は、入射光束を避けた位置に退避する。
【００２６】
メインミラー３７１が入射光束上に位置する場合、レンズユニット２００を通じて入射した入射光束は、メインミラー３７１に反射されてフォーカシングスクリーン３５２に導かれる。フォーカシングスクリーン３５２は、レンズユニット２００の光学系と共役な位置に配されて、レンズユニット２００の光学系が形成した像を可視化する。
【００２７】
フォーカシングスクリーン３５２上の像は、ペンタプリズム３５４およびファインダ光学系３５６を通じてファインダ３５０から観察される。ここで、ペンタプリズム３５４を通じて像を観察することにより、ファインダ３５０からは正立正像を観察できる。
【００２８】
測光センサ３９０は、ファインダ光学系３５６の上方に配され、分岐されさた入射光束の一部を受光する。測光センサ３９０は、被写体輝度を検出して、ボディ側制御部３２２に撮影条件の一部である露出条件を算出させる。
【００２９】
メインミラー３７１は、入射光束の一部を透過するハーフミラー領域を有する。サブミラー３７４は、ハーフミラー領域から入射した入射光束の一部を、合焦光学系３８０に向かって反射する。
【００３０】
合焦光学系３８０は、入射した入射光束の一部を焦点検出センサ３８２に導く。これにより、ボディ側制御部３２２は、レンズユニット２００の光学系を合焦させる場合に移動する第二レンズ群２３０の移動先を決定する。
【００３１】
上記のような一眼レフカメラ１００においてレリーズボタンが半押しされると、焦点検出センサ３８２および測光センサ３９０が有効になる。これにより、レンズユニット２００の光学系が撮像素子３３０の画素配列面に像を結ぶように、アクチュエータが第二レンズ群２３０移動させる。また、撮像素子が結ばれた像を適切に撮像できる撮影条件が算出される。
【００３２】
次いで、レリーズボタンが全押しされると、メインミラー３７１およびサブミラー３７４が退避位置に移動して、シャッタユニット３１０が開く。これにより、レンズユニット２００から入射した入射光束は、ローパスフィルタ３３２を通過して、撮像素子３３０に入射する。
【００３３】
図２は、レンズユニット２００を単独で拡大して示す模式的断面図である。図１と共通の要素には同じ参照番号を付して重複する説明を省く。
【００３４】
レンズユニット２００の後端付近には、環状基板２５２が配される。環状基板２５２は、レンズユニット２００の光学系に入射した入射光束の光路を避けつつ、固定筒２１０の内部に固定されている。レンズ側制御部２５０は、環状基板２５２に実装される。
【００３５】
レンズ保持枠２３２の図中下端において、係合部２３６は、下側の案内軸２７４の直径と略等しい間隔を有する一対の面を有する。これら一対の面が案内軸２７２を挟むことにより、係合部２３６および案内軸２７２は係合する。よって、レンズ保持枠２３２は、上側の案内軸２７２を回転軸とする回動を規制される。
【００３６】
レンズ保持枠２３２の図中上端に位置する嵌合部２３４は、受け部２３３、含油軸受け２８０および押さえ部材２８２を含む。受け部２３３は、案内軸２７２の長手方向に延在する止まり穴としてレンズ保持枠２３２に形成される。
【００３７】
受け部２３３の一端（図中右側）は、含油軸受け２８０の外径と略同じ形状で、レンズ保持枠２３２の後面に開口する。受け部２３３の他端（図中左側端部）は、案内軸２７２の外径より大きく、含油軸受け２８０の外径よりも小さな内径を有する挿通穴２３１に連通する。挿通穴２３１は、レンズ保持枠２３２の前面まで貫通する。
【００３８】
含油軸受け２８０は、円筒状の外形を有し、案内軸２７２の外径と略同じ内径を有する。含油軸受け２８０は、多孔質体により形成され、潤滑油を含浸されている。含油軸受け２８０は、通された案内軸２７２との摩擦等により温度が変化すると、潤滑油を表面に滲出させて潤滑を助ける。
【００３９】
含油軸受け２８０の前端は、図中左側の一端を受け部２３３の前端面に当接する。これにより、含油軸受け２８０は、受け部２３３の内部で光軸Ｘ方向について位置決めされる。また、含油軸受け２８０は、受け部２３３の内面に側周面を当接させて、光軸に直交する方向に位置決めされる。
【００４０】
更に、押さえ部材２８２の図中上端近傍が、含油軸受け２８０の後端に当接している。押さえ部材２８２の図中下端は、ビス２８４によりレンズ保持枠２３２に対して固定されている。また、押さえ部材２８２は弾性を有し、含油軸受け２８０を、後側から前側に向かって付勢する。これにより、含油軸受け２８０は、受け部２３３の前端側に押し付けられる。
【００４１】
これらの構造により、含油軸受け２８０は、レンズ保持枠２３２に対して位置決めされている。更に、レンズ保持枠２３２に対して位置決めされた含油軸受け２８０の内側には、案内軸２７２が挿通される。案内軸２７２は、含油軸受け２８０から滲出した潤滑油により潤滑されるので、レンズ保持枠２３２は案内軸２７２に沿って円滑に移動する。よって、レンズ保持枠２３２が案内軸２７２に引っかかることにより生じる第二レンズ群２３０の傾きの変化が生じ難い。
【００４２】
更に、含油軸受け２８０は、金属製の案内軸２７２の熱膨張率に近い熱膨張力を有する金属焼結体により形成できる。よって、やはり金属製の案内軸２７２との熱膨張率の差に起因する間隙の変化が少ない。これにより、案内軸２７２および含油軸受け２８０の間隙を一層詰めることができる。
【００４３】
これらの理由により、レンズユニット２００においては、含油軸受け２８０と案内軸２７２の間隙を非常に小さくして、光軸Ｘと略平行な方向において、第二レンズ群２３０の傾きを安定させることができる。また、案内軸２７２に嵌合する含油軸受け２８０の長さが短い場合であっても円滑な摺動が得られるので、潤滑不良に起因する光学部品のチルトも抑制できる。よって、案内軸が短い場合であっても、光学系の性能が安定したレンズ鏡筒を形成できる。
【００４４】
また、受け部２３３と押さえ部材２８２で挟むことにより含油軸受け２８０を固定するので、化学的に樹脂部品と反応する耐油性接着剤を用いなくてもよい。よって、レンズユニット２００の軽量化に有利な樹脂材料でレンズ保持枠２３２を形成できる。
【００４５】
なお、含油軸受けは、案内軸と異なる金属を主材料とする合金を用いて形成してもよい。例えば、案内軸２７２が炭素鋼またはマルテンサイト系ステンレスにより形成される場合は、銅系または青銅系の含油軸受けを好ましく使用できる。また、案内軸２７２が合金鋼により形成されている場合は、鉄系の含油軸受けを用いてもよい。
【００４６】
ところで、製品としてのレンズユニット２００の製造においては、レンズ保持枠２３２に対する第二レンズ群２３０の位置調整を要求される場合がある。ここで、第二レンズ群２３０の位置とは、光軸Ｘに直交する方向に関する第二レンズ群２３０位置、即ち、シフトと、光学系の光軸Ｘに対する第二レンズ群２３０の光軸の傾き、即ち、チルトとを含む。
【００４７】
上記のように、レンズユニット２００においては、押さえ部材２８２が含油軸受け２８０を受け部２３３に押し付けることにより、含油軸受け２８０が位置決めされる。よって、含油軸受け２８０の位置は、レンズ保持枠２３２における受け部２３３の位置により決定される。しかしながら、長い止まり穴として形成される受け部２３３の位置は、成形金型においても修正することが難しい。
【００４８】
しかしながら、第二レンズ群２３０のレンズのシフトは、レンズ保持枠２３２を製造する場合に用いる成形金型において、レンズ室の位置を移動させることにより調整できる。また、第二レンズ群２３０のチルトは、レンズ保持枠２３２における胴付部２３８の形状を、成形金型において修正することにより調整できる。
【００４９】
図３は、レンズ保持枠２３２の部分拡大図である。図３は、図２において点線の円Ａで囲んだ部分を拡大して示す。図２と共通の要素には同じ参照番号を付して重複する説明を省く。
【００５０】
円Ａの内部には、レンズ保持枠２３２が第二レンズ群２３０のレンズのひとつに当接する部分が拡大して示される。拡大して詳細に観察すると、レンズ保持枠２３２は、レンズの入射面に対して胴付部２３８で当接することにより、レンズを光軸Ｘ方向に位置決めする。
【００５１】
よって、図中に点線Ｂで示すように、胴付部２３８を増減して修正することにより、胴付部２３８におけるレンズの光軸Ｘ方向の位置を変化させることができる。胴付部２３８は、レンズ保持枠２３２を成形する場合に用いる成形金型を肉盛りあるいは切削により修正して形状を変更できる。
【００５２】
更に、レンズ保持枠２３２は、レンズの周縁部に沿って形成された環状の胴付部２３８を有するので、胴付部２３８の周方向の異なる位置で異なる修正をすることにより、レンズのチルトを補正できる。なお、図中では、修正形状を円弧により示すが、製品を製造する場合は、修正箇所を研磨して滑らかな形状に仕上げることが好ましい。
【００５３】
図４は、レンズユニット２０１の部分拡大断面図である。レンズユニット２０１は、以下に説明する部分を除くと、図１および図２に示したレンズユニット２００と共通の構造を有する。よって、共通の要素には同じ参照番号を付して重複する説明を省く。
【００５４】
レンズユニット２０１は、レンズ保持枠２３２の嵌合部２３４における含油軸受け２８０の取り付け構造に固有の部分を有する。即ち、嵌合部２３４は、受け部２３３、含油軸受け２８０、スリーブ部材２９０を有する。
【００５５】
スリーブ部材２９０は、それ自体が筒状の形状を有する。また、スリーブ部材２９０の内径は含油軸受け２８０の外径よりも僅かに小さく、含油軸受け２８０はスリーブ部材２９０の内側に圧入されている。よって、スリーブ部材２９０は含油軸受け２８０と一体的に取り扱うことができる。
【００５６】
また、スリーブ部材２９０は、例えば金属により形成されて、含油軸受け２８０に含浸された潤滑油を浸透させない。よって、含油軸受け２８０の外周表面に接触して配されるスリーブ部材２９０は、含油軸受け２８０から滲出した潤滑油が外部に漏れることを阻止する。
【００５７】
これにより、スリーブ部材２９０を装着された含油軸受け２８０は、樹脂材料を侵す場合がある耐油性接着剤を用いることなくレンズ保持枠２３２に対して接着できる。換言すれば、レンズユニット２０１においては、中間部材としてスリーブ部材２９０を用いることにより、含油軸受け２８０を接着剤により固定できる。
【００５８】
嵌合部２３４において、受け部２３３の図中右側の一端は、レンズ保持枠２３２の後面に開口している。よって、受け部２３３は、レンズ保持枠２３２の後面側から含油軸受けを受け入れることができる。
【００５９】
また、受け部２３３は、含油軸受け２８０に装着されたスリーブ部材２９０の外径よりも大きな内径を有し、側周面に対して間隙をおいて含油軸受け２８０を受け入れる。ただし、図中左側の端部において受け部２３３は内径を減じて、当接部２３５を形成している。
【００６０】
当接部２３５の内径は、含油軸受け２８０に装着されたスリーブ部材２９０の外径と略等しい。よって、スリーブ部材２９０を装着された含油軸受け２８０を受け部２３３に挿入した場合、当接部２３５の内面は、スリーブ部材２９０の外周面に当接する。これにより、含油軸受け２８０およびスリーブ部材２９０は、当接部２３５に接した部分を揺動軸として、レンズユニット２０１の光学系の光軸Ｘと略平行な方向において、受け部２３３に対する傾きを調整できる。
【００６１】
図５は、レンズユニット２０１の部分拡大断面図であり、図４に示した状態で傾きを調整した含油軸受け２８０およびスリーブ部材２９０を接着部２９２により固定した様子を示す。
【００６２】
即ち、上記の通り、スリーブ部材２９０の表面は接着剤によりレンズ保持枠２３２に対して接着できる。よって、レンズ保持枠２３２とスリーブ部材２９０との間隙に接着剤を充填して接着部２９２を形成することにより、受け部２３３内で傾きを調整した含油軸受け２８０およびスリーブ部材２９０をレンズ保持枠２３２に対して固定できる。
【００６３】
このように、レンズユニット２０１においては、第二レンズ群２３０を保持したレンズ保持枠２３２の案内軸２７２に対する傾きを個体毎に調整できる。よって、金型を調整することなく、精度の高い光学系を製造できる。
【００６４】
図６は、レンズユニット２０２の部分拡大断面図である。レンズユニット２０２は、以下に説明する部分を除くと、図１および図２に示したレンズユニット２００と共通の構造を有する。よって、共通の要素には同じ参照番号を付して重複する説明を省く。
【００６５】
レンズユニット２０２は、レンズ保持枠２３２の嵌合部２３４における含油軸受け２８０の取り付け構造に固有の部分を有する。即ち、嵌合部２３４は、受け部２３３、含油軸受け２８０、スリーブ部材２９０を有する。更に、受け部２３３は、レンズユニット２０２の径方向に形成された注入穴２３７に連通する。また、スリーブ部材２９０は、フランジ部２９４を有する。
【００６６】
スリーブ部材２９０は、含油軸受け２８０の外径よりも僅かに小さい内径を有する筒状の部分を有し、当該筒状の部分に含油軸受け２８０を圧入される。よって、スリーブ部材２９０は含油軸受け２８０と一体的に取り扱うことができる。
【００６７】
スリーブ部材２９０は、例えば金属により形成されて、含油軸受け２８０に含浸された潤滑油を浸透させない。よって、含油軸受け２８０の外周表面に接触して配されるスリーブ部材２９０は、含油軸受け２８０から滲出した潤滑油が外部に漏れることを阻止する。
【００６８】
また、スリーブ部材２９０は、含油軸受け２８０の径方向に拡がるフランジ部２９４を図中左側の一端に有する。フランジ部２９４は、受け部２３３の内径よりも大きな外径を有する。よって、スリーブ部材２９０を装着された含油軸受け２８０が受け部２３３に挿入された場合、フランジ部２９４はレンズ保持枠２３２の後面に当接する。
【００６９】
嵌合部２３４に形成された受け部２３３は、含油軸受け２８０に装着されたスリーブ部材２９０の外径よりも大きな内径を有し、側周面に対して間隙をおいて含油軸受け２８０を受け入れる。また、受け部２３３の内径は、レンズ保持枠２３２の前面から後面に至るまで変化しない。よって、受け部２３３に挿入されたスリーブ部材２９０の筒状部分は、受け部２３３の内面によっては位置決めされない。
【００７０】
ただし、スリーブ部材２９０のフランジ部２９４がレンズ保持枠２３２の後面に接した状態を維持すれば、含油軸受け２８０のレンズ保持枠２３２に対する傾きを一定に維持したまま、受け部２３３内で含油軸受け２８０を移動させることができる。これにより、レンズ保持枠２３２に保持された第二レンズ群２３０と含油軸受け２８０との、光軸Ｘに直交する方向の相対位置を調整できる。よって、固定筒２１０に支持された第一レンズ群２２０の光軸と、レンズ保持枠２３２に保持された第二レンズ群２３０の光軸とを精度よく一致させる調整ができる。
【００７１】
図７は、レンズユニット２０２の部分拡大断面図であり、図６に示した状態で第二レンズ群２３０に対する相対位置を調整した含油軸受け２８０およびスリーブ部材２９０を接着部２９２により固定した様子を示す。
【００７２】
即ち、スリーブ部材２９０の表面は接着剤によりレンズ保持枠２３２に対して接着できる。よって、受け部２３３の内部において、レンズ保持枠２３２とスリーブ部材２９０との間隙に接着剤を充填して接着部２９２を形成することにより、受け部２３３内で位置を調整した含油軸受け２８０およびスリーブ部材２９０をレンズ保持枠２３２に対して固定できる。
【００７３】
レンズユニット２０２においては、レンズ保持枠２３２の嵌合部２３４に注入穴２３７が設けられているので、スリーブ部材２９０および受け部２３３の間隙に、側面から接着剤を容易に注入して接着部２９２を形成できる。また、レンズ保持枠２３２の後面に別途接着剤を付着させることにより、フランジ部２９４をレンズ保持枠２３２後面に固定する接着部２９３を更に形成してもよい。
【００７４】
このように、レンズユニット２０２においては、第二レンズ群２３０を保持したレンズ保持枠２３２の案内軸２７２に対する傾きを個体毎に調整できる。よって、金型を調整することなく、精度の高い光学系を製造できる。
【００７５】
図８は、レンズユニット２０３の部分拡大断面図である。レンズユニット２０３は、以下に説明する部分を除くと、図１および図２に示したレンズユニット２００と共通の構造を有する。よって、共通の要素には同じ参照番号を付して重複する説明を省く。
【００７６】
レンズユニット２０３は、レンズ保持枠２３２の嵌合部２３４における含油軸受け２８０の取り付け構造に固有の部分を有する。即ち、嵌合部２３４は、受け部２３３、含油軸受け２８０、スリーブ部材２９０を有する。ここで、受け部２３３は、レンズユニット２０２の径方向に形成された挿入穴２３９を有する。また、光軸Ｘ方向について受け部２３３の両端には、一対の挿通穴２３１が設けられる。
【００７７】
スリーブ部材２９０は、図１から図３までに示したレンズユニット２００の場合と同様に、含油軸受け２８０の外径よりも僅かに小さい内径を有する筒状の形状を有する。含油軸受け２８０は、スリーブ部材２９０に予め圧入され、スリーブ部材２９０と一体的に取り扱われる。
【００７８】
スリーブ部材２９０は例えば金属により形成されて、含油軸受け２８０に含浸された潤滑油を浸透させない。よって、含油軸受け２８０の外周表面に接触して配されるスリーブ部材２９０は、含油軸受け２８０から滲出した潤滑油が外部に漏れることを阻止する。
【００７９】
嵌合部２３４に形成された受け部２３３は、含油軸受け２８０に装着されたスリーブ部材２９０の外径よりも大きな内径を有する。また、受け部２３３に連通する挿入穴２３９は、スリーブ部材２９０を装着した含油軸受け２８０を、レンズ保持枠２３２の径方向から挿入できる大きさを有する。
【００８０】
よって、レンズユニット２０３を組み立てる場合は、まず、予めスリーブ部材２９０を装着した含油軸受け２８０を、挿入穴２３９を通じて受け部２３３に挿入する。続いて、挿通穴２３１から案内軸２７２を挿入して、反対側の挿通穴２３１から突出するまで含油軸受け２８０に挿通する。
【００８１】
ここで、挿通穴２３１の内径は、案内軸２７２の外径よりも大きい。よって、案内軸２７２を挿通された状態であっても、含油軸受け２８０は、受け部２３３の内部で、光軸Ｘに直交する方向に移動できる。また、両端が受け部２３３の内壁に接しているので、含油軸受け２８０およびスリーブ部材２９０は、受け部２３３の内部で傾きを変化させることなく移動する。
【００８２】
これにより、レンズ保持枠２３２に保持された第二レンズ群２３０と含油軸受け２８０との、光軸Ｘに直交する方向の相対位置を調整できる。よって、固定筒２１０に支持された第一レンズ群２２０の光軸と、レンズ保持枠２３２に保持された第二レンズ群２３０の光軸とを精度よく一致させる調整ができる。
【００８３】
図９は、レンズユニット２０３の部分拡大断面図であり、図８に示した状態で第二レンズ群２３０に対する相対位置を調整した含油軸受け２８０およびスリーブ部材２９０を接着部２９２により固定した様子を示す。
【００８４】
スリーブ部材２９０の表面は接着剤によりレンズ保持枠２３２に対して接着できる。よって、受け部２３３の内部において、レンズ保持枠２３２とスリーブ部材２９０との間隙に接着剤を充填して接着部２９２を形成することにより、受け部２３３内で位置を調整した含油軸受け２８０およびスリーブ部材２９０をレンズ保持枠２３２に対して固定できる。
【００８５】
レンズユニット２０２においては、レンズ保持枠２３２の嵌合部２３４に挿入穴２３９が開口しているので、スリーブ部材２９０および受け部２３３の間隙に、側面から接着剤を容易に注入して接着部２９２を形成できる。このように、レンズユニット２０２においては、第二レンズ群２３０を保持したレンズ保持枠２３２の案内軸２７２に対する傾きを個体毎に調整できる。よって、金型を調整することなく精度の高い光学系を製造できる。
【００８６】
図１０は、レンズユニット２０４の部分拡大断面図である。レンズユニット２０４は、以下に説明する部分を除くと、図１および図２に示したレンズユニット２００と共通の構造を有する。よって、共通の要素には同じ参照番号を付して重複する説明を省く。
【００８７】
レンズユニット２０４は、レンズ保持枠２３２の嵌合部２３４における含油軸受け２８０の取り付け構造に固有の部分を有する。即ち、嵌合部２３４は、受け部２３３、含油軸受け２８０、スリーブ部材２９０を有する。受け部２３３は、レンズユニット２０４の径方向に形成された注入穴２３７に連通する。
【００８８】
スリーブ部材２９０は、と、光軸Ｘ方向の一端において含油軸受け２８０の径方向内側に向かって延在するフランジ部２９６を有する。フランジ部２９６の内径は、含油軸受け２８０の外径に略等しく、含油軸受け２８０は、フランジ部２９６の内側に圧入圧入される。よって、含油軸受け２８０は、スリーブ部材２９０と一体的に取り扱うことができる。ただし、含油軸受け２８０は、フランジ部２９６に接する部分を揺動軸として、スリーブ部材２９０に対して揺動する。
【００８９】
スリーブ部材２９０は、光軸Ｘ方向の他端において含油軸受け２８０の径方向外側に向かって延在するフランジ部２９４も有する。外側に延在するフランジ部２９４の外径は、受け部２３３の内径よりも大きい。よって、スリーブ部材２９０を装着した含油軸受け２８０を受け部２３３に挿入した場合、フランジ部２９４は、レンズ保持枠２３２の後面に当接する。
【００９０】
受け部２３３は、フランジ部２９４を除くスリーブ部材２９０の外径よりも大きな内径を有し、側周面に対して間隙をおいてスリーブ部材２９０および含油軸受け２８０を受け入れる。また、受け部２３３の内径は、レンズ保持枠２３２の前面から後面に至るまで変化しない。よって、受け部２３３に挿入されたスリーブ部材２９０は、受け部２３３の内部で、光軸と直交する方向に移動させることができる。
【００９１】
ただし、スリーブ部材２９０のフランジ部２９４がレンズ保持枠２３２の後面に接した状態を維持すれば、スリーブ部材２９０のレンズ保持枠２３２に対する傾きを一定に維持したまま、受け部２３３内で含油軸受け２８０を移動させることができる。また、既に説明した通り、含油軸受け２８０は、スリーブ部材２９０に対して揺動させることができる。これにより、含油軸受け２８０は、レンズユニット２０１の光学系の光軸Ｘと略平行な方向において、受け部２３３に対する傾きを調整できる。
【００９２】
このように、レンズユニット２０４においては、レンズ保持枠２３２に保持された第二レンズ群２３０のチルトおよびシフトの双方について、含油軸受け２８０の取り付け位置および取り付け角度を調整して、固定筒２１０に支持された第一レンズ群２２０の光軸と、レンズ保持枠２３２に保持された第二レンズ群２３０の光軸とを精度よく一致させることができる。
【００９３】
図１１は、レンズユニット２０４の部分拡大断面図であり、第二レンズ群２３０に対する相対位置を調整した含油軸受け２８０およびスリーブ部材２９０を接着部２９２および耐油性接着部２９８により固定した様子を示す。
【００９４】
即ち、スリーブ部材２９０の外表面は、接着剤によりレンズ保持枠２３２に対して接着できる。また、スリーブ部材２９０の内表面は、耐油性接着剤により、含油軸受け２８０に対して接着できる。よって、上記のようにして、光軸Ｘと直交する方向の位置と、光軸Ｘに対する傾きとを調整した含油軸受け２８０は、耐油性接着部２９８、スリーブ部材２９０および接着部２９２を順次介して、レンズ保持枠２３２に対して固定できる。
【００９５】
なお、レンズユニット２０４においては、レンズ保持枠２３２の嵌合部２３４に注入穴２３７が設けられているので、スリーブ部材２９０および受け部２３３の間隙に、側面から接着剤を容易に注入して接着部２９２を形成できる。また、レンズ保持枠２３２の後面から、スリーブ部材２９０および含油軸受け２８０の間隙に耐油性接着剤を注入できる。更に、レンズ保持枠２３２の後面に別途接着剤を付着させることにより、フランジ部２９４をレンズ保持枠２３２後面に固定する接着部２９３を更に形成してもよい。
【００９６】
ここで、スリーブ部材２９０は金属により形成されているので、含油軸受け２８０から滲出した潤滑油をレンズ保持枠２３２側に浸透させない。また、スリーブ部材２９０自体は金属製なので、スリーブ部材２９０が耐油性接着剤により化学的に劣化することはない。
【００９７】
このように、レンズユニット２０４においては、第二レンズ群２３０を保持したレンズ保持枠２３２の案内軸２７２に対するシフトおよびチルトを個体毎に調整できる。よって、金型を調整することなく、精度の高い光学系を製造できる。
【００９８】
ここまで、一眼レフカメラ１００を例にあげて説明したが、レンズユニット２００とカメラボディ３００が一体に形成されたカメラにおいても、含油軸受けを用いた上記の構造を形成できる。また、メインミラー３７１を備えていないレンズ交換式ミラーレスカメラのレンズユニット２００においても同様の構造を形成できる。
【００９９】
更に、上記の例では、単焦点のレンズユニット２００、２０１、２０２、２０３における合焦用レンズである第二レンズ群２３０を支持する構造を、含油軸受け２８０を用いて形成した。しかしながら、同様の構造は、変倍可能なレンズユニットにおいて変倍用のレンズを支持する場合にも用いることができる。これにより、移動方向について短い嵌合部で変倍用レンズを支持しても、円滑なレンズの移動と、移動に伴うチルトの抑制とを両津させて、小型であっても光学性能が高いレンズユニットを提供できる。
【０１００】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【符号の説明】
【０１０１】
１００  一眼レフカメラ、２００、２０１、２０２、２０３、２０４  レンズユニット、２１０  固定筒、２１２  フィルタ枠、２２０  第一レンズ群、２３０  第二レンズ群、２３２  レンズ保持枠、２３１  挿通穴、２３３  受け部、２３４  嵌合部、２３５  当接部、２３６  係合部、２３７  注入穴、２３８  胴付部、２３９  挿入穴、２４０  絞りユニット、２５０  レンズ側制御部、２５２  環状基板、２６０  レンズ側マウント部、２７２、２７４  案内軸、２８０  含油軸受け、２８２  押さえ部材、２８４  ビス、２９０  スリーブ部材、２９２、２９３  接着部、２９４、２９６  フランジ部、２９８  耐油性接着部、３００  カメラボディ、３１０  シャッタユニット、３２０  基板、３２２  ボディ側制御部、３２４  画像処理部、３３０  撮像素子、３３２  ローパスフィルタ、３４０  表示部、３５０  ファインダ、３５２  フォーカシングスクリーン、３５４  ペンタプリズム、３５６  ファインダ光学系、３６０  ボディ側マウント部、３７０  ミラーユニット、３７１  メインミラー、３７２  メインミラー保持枠、３７３  メインミラー回動軸、３７４  サブミラー、３７５  サブミラー保持枠、３７６  サブミラー回動軸、３８０  合焦光学系、３８２  焦点検出センサ、３９０  測光センサ
【図１】
0005440559.tif 000002
【図２】
0005440559.tif 000003
【図３】
0005440559.tif 000004
【図４】
0005440559.tif 000005
【図５】
0005440559.tif 000006
【図６】
0005440559.tif 000007
【図７】
0005440559.tif 000008
【図８】
0005440559.tif 000009
【図９】
0005440559.tif 000010
【図１０】
0005440559.tif 000011
【図１１】
0005440559.tif 000012